(57)【要約】【課題】テープの製造コストを抑制しつつ、使いかけの別のテープを使用するときや装置の設定がリセットされたときであっても、温度設定や加熱時間を最適条件に自動設定することが可能な紙幣結束装置を提供する。【解決手段】テープ本体１１ａを繰り出すテープ供給機構１４と、該テープ供給機構１４から繰り出されるテープ本体１１ａを所定枚数集積された紙幣に巻回させた後、ヒータ１８を押し付けこれを熱接着させて紙幣を結束させる結束部１７とを有する紙幣結束装置において、ロールテープ１０ａには、当該テープ本体１１ａの熱接着の最適条件データとして、ヒータ温度の最適条件データが記憶されたＲＦＩＤインレット３０が設けられており、最適条件データを読み取るＲＦＩＤリーダ３１と、該ＲＦＩＤリーダ３１からの信号によりヒータ１８のヒータ温度を制御する温度制御手段とを設けてなることを特徴とする。【選択図】図１
2007253979.tif 000002
【特許請求の範囲】
【請求項１】
熱接着タイプのテープ本体を有する結束テープから前記テープ本体を繰り出すテープ供給手段と、該テープ供給手段から繰り出される前記テープ本体を所定枚数集積された紙幣に巻回させた後、当該テープ本体にヒータを押し付けこれを熱接着させて紙幣を結束させる結束部とを有する紙幣結束装置において、
前記結束テープには、当該結束テープの前記テープ本体における熱接着の最適条件データとして、前記ヒータのヒータ温度の最適条件データが記憶された無線ＩＣチップが設けられており、
該無線ＩＣチップを無線で駆動して前記最適条件データを読み取るリーダと、該リーダからの信号により前記ヒータのヒータ温度を制御する温度制御手段とを設けてなることを特徴とする紙幣結束装置。
【請求項２】
熱接着タイプのテープ本体を有する結束テープから前記テープ本体を繰り出すテープ供給手段と、該テープ供給手段から繰り出される前記テープ本体を所定枚数集積された紙幣に巻回させた後、当該テープ本体にヒータを押し付けこれを熱接着させて紙幣を結束させる結束部とを有する紙幣結束装置において、
前記結束テープには、当該結束テープの前記テープ本体における熱接着の最適条件データとして、前記ヒータによる押付時間の最適条件データが記憶された無線ＩＣチップが設けられており、
該無線ＩＣチップを無線で駆動して前記最適条件データを読み取るリーダと、該リーダからの信号により前記ヒータの押付時間を制御する押付時間制御手段とを設けてなることを特徴とする紙幣結束装置。
【請求項３】
熱接着タイプのテープ本体を有する結束テープから前記テープ本体を繰り出すテープ供給手段と、該テープ供給手段から繰り出される前記テープ本体を所定枚数集積された紙幣に巻回させた後、当該テープ本体にヒータを押し付けこれを熱接着させて紙幣を結束させる結束部とを有する紙幣結束装置において、
前記結束テープには、当該結束テープの前記テープ本体における熱接着の最適条件データとして、前記ヒータのヒータ温度および前記ヒータによる押付時間の最適条件データが記憶された無線ＩＣチップが設けられており、
該無線ＩＣチップを無線で駆動して前記最適条件データを読み取るリーダと、該リーダからの信号により前記ヒータのヒータ温度と押付時間とを制御する制御手段とを設けてなることを特徴とする紙幣結束装置。
【請求項４】
前記無線ＩＣチップは、前記テープ本体の繰り出し最後端部もしくは、前記結束テープの芯部に設けられていることを特徴とする請求項１〜３のいずれか一項に記載の紙幣結束装置。
【請求項５】
前記リーダは、前記結束テープの取り付け支持部に組み込まれていることを特徴とする請求項１〜４のいずれか一項に記載の紙幣結束装置。
【請求項６】
前記紙幣結束装置は、所定枚数のバラ紙幣を集積状態にして結束する小束紙幣結束装置であることを特徴とする請求項１〜５のいずれか一項に記載の紙幣結束装置。
【請求項７】
前記紙幣結束装置は、所定数の小束紙幣を集積状態にして結束する大束紙幣結束装置であることを特徴とする請求項１〜５のいずれか一項に記載の紙幣結束装置。
【発明の詳細な説明】
【技術分野】
【０００１】
この発明は、テープで紙幣を結束する紙幣結束装置に関するものである。
【背景技術】
【０００２】
従来から、紙幣を熱接着タイプのテープで結束する紙幣結束装置が知られている。この紙幣結束装置にはテープを接着するためのヒータが設けられており、このヒータによって紙幣の束に巻回したテープを加熱接着させて紙幣を結束するようにしている。ところで、紙幣を結束するテープは複数のメーカで製造されており、使用するテープ毎に十分な接着強度を得ることができるヒータの加熱温度、加熱時間などの諸条件が異なる場合がある。そのため、作業開始時に作業者が使用するテープの最適な接着条件をいちいち設定する必要があり、人為的な設定ミスによる接着不良などが生じる懸念があった。そこで近年、テープ上に印刷したバーコード等のマークによって当該テープの接着に最適な接着条件を記録しておき、結束装置側に設けた読み取りセンサによってこの接着条件を検出して自動的に最適な接着条件を設定して紙幣の結束処理を行う紙幣結束装置が提案されている。（例えば、特許文献１参照）。
【特許文献１】特許第２８２５７４６号公報
【発明の開示】
【発明が解決しようとする課題】
【０００３】
しかしながら、上述の紙幣結束装置においては、テープ上にバーコード等のマークを予め所定間隔で印刷しておく必要があるため、テープの製造コストが増加するという課題がある。そして、上述した特許第２８２５７４６号公報に記載されているように、テープの繰り出し側先端にのみマークを印刷して製造コストを低減する方法も考えられるが、この場合、使いかけの別のテープに交換するときや、作業中の瞬時停電など何らかの原因で装置の設定がリセットされてしまったときには、すでに接着条件が記録されたマークはテープに残っていないため、手動で接着条件の設定を行う必要が生じてしまう。
【０００４】
本発明は、これら課題に鑑みてなされたもので、結束テープの製造コストを抑制しつつ、使いかけの別の結束テープを使用するときや装置の設定がリセットされたときであっても、温度設定や加熱時間を最適条件に自動設定することが可能な紙幣結束装置を提供するものである。
【課題を解決するための手段】
【０００５】
上記の課題を解決するために、請求項１に記載した発明は、熱接着タイプのテープ本体（例えば、実施の形態におけるテープ本体１１ａ，１１ｂ）を有する結束テープ（例えば、実施の形態におけるロールテープ１０ａ，１０ｂ）から前記テープ本体を繰り出すテープ供給手段（例えば、実施の形態におけるテープ供給機構１４）と、該テープ供給手段から繰り出される前記テープ本体を所定枚数集積された紙幣に巻回させた後、当該テープ本体にヒータ（例えば、実施の形態におけるヒータ１８）を押し付けこれを熱接着させて紙幣を結束させる結束部（例えば、実施の形態における結束部１７）とを有する紙幣結束装置において、前記結束テープには、当該結束テープの前記テープ本体における熱接着の最適条件データとして、前記ヒータのヒータ温度の最適条件データが記憶された無線ＩＣチップ（例えば、実施の形態におけるＲＦＩＤインレット３０）が設けられており、該無線ＩＣチップを無線で駆動して前記最適条件データを読み取るリーダ（例えば、実施の形態におけるＲＦＩＤリーダ３１）と、該リーダからの信号により前記ヒータのヒータ温度を制御する温度制御手段（例えば、実施の形態におけるヒータ温度制御部２６、ヒータ温度検出部２７、ヒータ加熱部２８および結束制御部２５で構成）とを設けてなることを特徴とする。
このように構成することで、結束テープを紙幣結束装置に装着して紙幣の結束処理を行う際に、結束テープの無線ＩＣチップに記憶されたヒータ温度の最適条件を自動的にリーダによって読み取らせて、このリーダの読み取り結果に基づいてヒータ温度を最適条件に制御し、この最適条件に制御されたヒータを紙幣に巻回されたテープ本体に押し付けて熱接着を行うことができる。
【０００６】
請求項２に記載した発明は、熱接着タイプのテープ本体（例えば、実施の形態におけるテープ本体１１ａ、１１ｂ）を有する結束テープ（例えば、実施の形態におけるロールテープ１０ａ，１０ｂ）から前記テープ本体を繰り出すテープ供給手段（例えば、実施の形態におけるテープ供給機構１４）と、該テープ供給手段から繰り出される前記テープ本体を所定枚数集積された紙幣に巻回させた後、当該テープ本体にヒータ（例えば、実施の形態におけるヒータ１８）を押し付けこれを熱接着させて紙幣を結束させる結束部（例えば、実施の形態における結束部１７）とを有する紙幣結束装置において、前記結束テープには、当該結束テープの前記テープ本体の熱接着の最適条件データとして、前記ヒータによる押付時間の最適条件データが記憶された無線ＩＣチップ（例えば、実施の形態におけるＲＦＩＤインレット３０）が設けられており、該無線ＩＣチップを無線で駆動して前記最適条件データを読み取るリーダ（例えば、実施の形態におけるＲＦＩＤリーダ３１）と、該リーダからの信号により前記ヒータの押付時間を制御する押付時間制御手段（例えば、実施の形態における揺動機構２０、ヒータ駆動制御部２２および結束制御部２５で構成）とを設けてなることを特徴とする。
このように構成することで、結束テープを紙幣結束装置に装着して紙幣の結束処理を行う際に、結束テープの無線ＩＣチップに記憶されたヒータによる押付時間の最適条件を自動的にリーダによって読み取らせ、このリーダの読み取り結果に基づいてヒータによる押付時間を制御してテープ本体の熱接着を行うことができる。
【０００７】
請求項３に記載した発明は、熱接着タイプのテープ本体（例えば、実施の形態におけるテープ本体１１ａ，１１ｂ）を有する結束テープ（例えば、実施の形態におけるロールテープ１０ａ，１０ｂ）から前記テープ本体を繰り出すテープ供給手段（例えば、実施の形態におけるテープ供給機構１４）と、該テープ供給手段から繰り出される前記テープ本体を所定枚数集積された紙幣に巻回させた後、当該テープ本体にヒータ（例えば、実施の形態におけるヒータ１８）を押し付けこれを熱接着させて紙幣を結束させる結束部（例えば、実施の形態における結束部１７）とを有する紙幣結束装置において、前記結束テープには、当該結束テープの前記テープ本体における熱接着の最適条件データとして、前記ヒータのヒータ温度およびヒータによる押付時間の最適条件データが記憶された無線ＩＣチップ（例えば、実施の形態におけるＲＦＩＤインレット３０）が設けられており、該無線ＩＣチップを無線で駆動して前記最適条件データを読み取るリーダ（例えば、実施の形態におけるＲＦＩＤリーダ３１）と、該リーダからの信号により前記ヒータのヒータ温度と押付時間とを制御する制御手段（例えば、実施の形態におけるヒータ温度制御部２６、ヒータ温度検出部２７、ヒータ加熱部２８、揺動機構２０、ヒータ駆動制御部２２および結束制御部２５で構成）とを設けてなることを特徴とする。
このように構成することで、結束テープを紙幣結束装置に装着して紙幣の結束処理を行う際に、結束テープの無線ＩＣチップに記憶されたヒータ温度とヒータによる押付時間との最適条件を自動的にリーダによって読み取らせ、この読み取り結果に基づいて、ヒータ温度およびヒータによるテープ本体への押付時間が最適条件となるようにヒータを制御してテープ本体の熱接着を行うことができる。
【０００８】
請求項４に記載した発明は、請求項１〜３のいずれか一項に記載の発明において、前記無線ＩＣチップが、前記テープ本体の繰り出し最後端部もしくは、前記結束テープの芯部（例えば、実施の形態における芯部９）に設けられていることを特徴とする。
このように構成することで、使用途中の他の結束テープを使用する場合であっても、テープ本体の繰り出し最後端部もしくは、結束テープの芯部に設けられている無線ＩＣチップから当該結束テープのテープ本体における最適な接着条件を読み取ってヒータを制御することができる。
【０００９】
請求項５に記載した発明は、請求項１〜４のいずれか一項に記載の発明において、前記リーダが、前記結束テープの取り付け支持部（例えば、実施の形態におけるテープ取付支持部３２）に組み込まれていることを特徴とする。
このように構成することで、従来では結束テープの取り付け支持のためだけに設けていた取り付け支持部を有効利用して、リーダと無線ＩＣチップとの通信距離を短縮することができる。
【００１０】
請求項６に記載した発明は、請求項１〜５のいずれか一項に記載の発明において、前記紙幣結束装置が、所定枚数のバラ紙幣を集積状態にして結束する小束紙幣結束装置であることを特徴とする。
【００１１】
請求項７に記載した発明は、請求項１〜５のいずれか一項に記載の発明において、前記紙幣結束装置が、所定数の小束紙幣を集積状態にして結束する大束紙幣結束装置であることを特徴とする。
【発明の効果】
【００１２】
請求項１に記載した発明によれば、結束テープを紙幣結束装置に装着して紙幣の結束処理を行う際に、結束テープの無線ＩＣチップに記憶されたヒータ温度の最適条件を自動的にリーダによって読み取らせて、このリーダの読み取り結果に基づいてヒータ温度を最適条件に制御し、この最適条件に制御されたヒータを紙幣に巻回されたテープに押し付けて熱接着を行うことができるため、設定不良が生じることなく、例えばテープ本体へのヒータの押し付け時間が変更できない装置であっても、常に確実な結束テープの接着を行うことが可能となる効果がある。また、読み取りを考慮しても配置の自由度が高い無線ＩＣチップにヒータ温度の最適条件を記憶しているので、途中交換や設定リセット時にも再読み取り可能な位置に配置することができる。
【００１３】
請求項２に記載した発明によれば、結束テープを紙幣結束装置に装着して紙幣の結束処理を行う際に、結束テープの無線ＩＣチップに記憶されたヒータによる押付時間の最適条件を自動的にリーダによって読み取らせ、このリーダの読み取り結果に基づいてヒータによる押付時間を制御してテープ本体の熱接着を行うことができるため、設定不良が生じることなく、例えばヒータ温度が変更できない装置であっても、常に確実な結束テープの接着を行うことが可能となる効果がある。また、読み取りを考慮しても配置の自由度が高い無線ＩＣチップにヒータによる押付時間の最適条件を記憶しているので、途中交換や設定リセット時にも再読み取り可能な位置に配置することができる。
【００１４】
請求項３に記載した発明によれば、結束テープを紙幣結束装置に装着して紙幣の結束処理を行う際に、結束テープの無線ＩＣチップに記憶されたヒータ温度とヒータによる押付時間との最適条件を自動的にリーダによって読み取らせ、この読み取り結果に基づいて、ヒータ温度およびヒータによるテープ本体への押付時間が最適条件となるようにヒータを制御してテープ本体の熱接着を行うことができるため、常に確実な結束テープの接着を行うことが可能となる効果がある。また、読み取りを考慮しても配置の自由度が高い無線ＩＣチップにヒータ温度およびヒータによる押付時間の最適条件を記憶しているので、途中交換や設定リセット時にも再読み取り可能な位置に配置することができる。
【００１５】
請求項４に記載した発明によれば、請求項１〜３のいずれかの効果に加え、使用途中の他の結束テープを使用する場合であっても、テープ本体の繰り出し最後端部もしくは、結束テープの芯部に設けられている無線ＩＣチップから当該結束テープのテープ本体における最適な接着条件を読み取ってヒータを制御することができるため、結束テープの残量にかかわらず、常に確実な結束テープの接着を行うことが可能となる効果がある。
【００１６】
請求項５に記載した発明によれば、請求項１〜４のいずれかの効果に加え、従来では結束テープの取り付け支持のためだけに設けていた取り付け支持部を有効利用して、リーダと無線ＩＣチップとの通信距離を短縮することができるため、省スペース化を実現して装置の小型化に寄与しつつ、無線ＩＣチップとリーダ間の通信の信頼性を向上させることができる効果がある。
【発明を実施するための最良の形態】
【００１７】
本発明の一実施例による紙幣結束装置について、図１を参照して以下に説明する。図１は本実施例の紙幣結束装置を示す全体構成図である。
該紙幣結束装置は、例えば紙幣の入金・出金等を行なう図示せぬ紙幣処理機に連結されて使用されるものであり、図示せぬ紙幣処理機から必要に応じて搬送されてきた同一金種の紙幣を束ねてこれをテープで結束させるいわゆる小束結束機である。なお、この紙幣結束装置の全体構成等は、特公昭５９−３３３０号に記載されたものと略同様のものである。
【００１８】
図１に示すように、本実施例の紙幣結束装置は、ロールテープ（結束テープ）１０ａから熱接着タイプのテープ本体１１ａを繰り出す供給ローラ１２およびテープ本体１１ａを案内するガイドローラ１３を具備するテープ供給機構（テープ供給手段）１４と、搬送されてきた集積紙幣１５を挟持部材１６で挟持するとともにテープ供給機構１４から供給されたテープ本体１１ａを該集積紙幣１５に巻き回す結束部１７とを有しており、結束部１７には、集積紙幣１５に巻き回されたテープ本体１１ａを加熱押圧して該テープ本体１１ａの重なり部分同士を熱接着させるヒータ１８が設けられている。
【００１９】
ヒータ１８は、揺動機構２０に取り付けられており、該揺動機構２０には、ヒータ１８とは別に、テープ本体１１ａを切断するカッター２１が取り付けられている。この揺動機構２０は、集積紙幣１５に巻回されたテープ本体１１ａをヒータ１８で加熱押圧する押付位置と、ヒータ１８をテープ本体１１ａから離間させる離間位置との間で揺動自在となっており、常時は離間位置にあり、後述するヒータ駆動制御部２２から駆動信号Ａが出力されると、揺動されて前記押付位置に至るようになっている。ここで、上記カッター２１は、ヒータ１８がテープ本体１１ａを押圧した時点で、該テープ本体１１ａの熱接着部分よりテープ供給機構１４側を切断するようになっている。
【００２０】
本実施例において、図２の１０ａは、Ａ社製のロールテープを示しており、１０ｂはＢ社製のロールテープを示している。これらロールテープ１０ａ，１０ｂは、それぞれ同一内径に設定された円筒状の芯部９にテープ本体１１ａ、１１ｂがロール状に巻回されたものであり、一般に、これらテープ本体１１ａ，１１ｂのようにメーカが異なると、それぞれ熱接着させるための最適なヒータ温度やヒータの押付時間などの条件が異なる。
【００２１】
上記ロールテープ１０ａ，１０ｂの芯部９の内周面には、それぞれＲＦＩＤ（Radio Frequency IDentification；電波方式認識）インレット（無線ＩＣチップ）３０が貼付されている。このＲＦＩＤインレット３０は、主に、コイル状に配設されたアンテナ部（図示せず）と、このアンテナ部に接続されたＩＣチップ部（図示せず）とで構成されている。そして、ロールテープ１０ａに設けられているＩＣチップ部には、テープ本体１１ａの最適な熱接着条件であるヒータ１８の温度データと、ヒータ１８によるテープ本体１１ａへの押付時間データとが記憶されている。また同様に、ロールテープ１０ｂに設けられているＩＣチップ部には、テープ本体１１ｂの最適な熱接着条件であるヒータ１８の温度データと、ヒータ１８によるテープ本体１１ｂへの押付時間データとが記憶されている。なお、ＲＦＩＤインレット３０の配置は、芯部９の内周面に限られるものではなく、ロールテープ１０ａ、１０ｂを使い切るまで後述するＲＦＩＤリーダ（リーダ）３１で読み取り可能にＲＦＩＤインレット３０が残存可能な場所であれば、例えば、テープ本体１１ａ，１１ｂの繰り出し最後端部や芯部９の側面あるいは外周面に貼付して設けたり、芯部９に埋設して設けるようにしても良い。ロールテープ１０ａ，１０ｂはそれぞれに巻回されたテープ本体１１ａ，１１ｂの接着条件が異なる以外は同一の構成であるため、以下、ロールテープ１０ａ、テープ本体１１ａについてのみ説明する。
【００２２】
テープ供給機構１４は、テープ本体１１ａが繰り出し可能な状態で、ロールテープ１０ａが回転自在に支持されるテープ取付支持部（取り付け支持部）３２を備えている。このテープ取付支持部３２はロールテープ１０ａと略同径の円盤状のつば部３３を備えており、このつば部３３の中心部分に、その回転軸線方向に沿う略六角柱状に形成された支持部本体３４が突設されている。この支持部本体３４をロールテープ１０ａの芯部９の孔９ａに挿入することで、支持部本体３４の６本の稜線が孔９ａの内周面を押圧して嵌合し、テープ取付支持部３２に対するロールテープ１０ａの回転方向へのずれを規制した状態で、ロールテープ１０ａがテープ取付支持部３２に固定されるようになっている。ここで、つば部３３に前記ロールテープ１０ａの側面を当接させて配置させることで、容易にロールテープ１０ａを位置決めすることが可能となっている。なお、テープ取付支持部３２には、１つのロールテープだけが支持されるようになっている。
【００２３】
支持部本体３４には、その周面を形成する６つの壁面のうち少なくとも１つの壁面に、ＲＦＩＤリーダ３１が取り付けられている。このＲＦＩＤリーダ３１は、前述したＲＦＩＤインレット３０に記憶されたデータを無線通信によって読み出すものである。ここで、前述したＲＦＩＤインレット３０とＲＦＩＤリーダ３１とで構成されるいわゆるＲＦＩＤは、ＲＦＩＤリーダ３１から発した電波や電磁波によってＲＦＩＤインレット３０のアンテナに起電力を発生させてこの起電力によってＲＦＩＤインレットのＩＣチップを駆動して、そのＩＣチップに記憶されたデータをアンテナを通じて発信させ、このデータをＲＦＩＤリーダ３１で受信するというＲＦＩＤインレット側に電源を必要としないものである。
【００２４】
ここで、ロールテープ１０ａをテープ取付支持部３２へ取り付ける際に、ＲＦＩＤインレット３０がＲＦＩＤリーダ３１に対向する位置となるようにすれば、通信距離が最短となり無線通信の信頼性向上の点で好ましい。なお、前述した支持部本体３４は略六角柱状に限られるものではなく、ロールテープ１０ａを固定できる形状であれば、例えば略円柱状に形成しても良いが、ＲＦＩＤリーダ３１を取り付ける都合上、一部に平面を有していればより好適である。また、上記実施例では支持部本体３４の周面にＲＦＩＤリーダ３１を取り付けた場合を説明したが、支持部本体３４を構成する柱形状の上面３４ａや、これに隣接するつば部３３などＲＦＩＤインレット３０の近傍となる位置でデータの送受信が可能な場所であればよい。
【００２５】
ＲＦＩＤリーダ３１は、供給ローラ１２に供給制御信号Ｂを出力してこれを駆動制御する結束制御部２５に接続されており、該結束制御部２５に、ロールテープ１０ａのＲＦＩＤインレット３０から読み取ったデータを読取信号Ｃとして出力するようになっている。この結束制御部２５は、入力された読取信号Ｃから割り出される、ヒータ１８の温度の最適条件データを、最適温度信号Ｄとして後述するヒータ温度制御部２６へ出力するとともに、同様に入力された読取信号Ｃから割り出される、ヒータ１８によるテープ本体１１ａへの押付時間の最適条件データを、最適押付時間信号Ｅとして、ヒータ駆動制御部２２へ所定のタイミングで出力するようになっている。
【００２６】
ヒータ１８には、ヒータ１８から温度に応じて出力される温度信号Ｆを検出するヒータ温度検出部２７が接続されており、該ヒータ温度検出部２７は、検出したヒータ１８の温度を示す検出温度信号Ｇをヒータ温度制御部２６に出力するようになっている。このヒータ温度制御部２６は、結束制御部２５およびヒータ加熱部２８に接続されており、該結束制御部２５からの最適温度信号Ｄとヒータ温度検出部２７からの検出温度信号Ｇとから最適温度と検出温度とを比較し、これらの温度差が許容範囲内に入る方向にヒータ１８を制御すべく温度制御信号Ｈをヒータ加熱部２８に出力する。ヒータ加熱部２８はヒータ１８に加熱制御信号Ｉを出力して上記温度差が許容範囲内に入るように制御する。ここで、ヒータ温度制御部２６は、最適温度と検出温度との差が許容範囲内に入っている場合に、ヒータ１８の温度が最適温度であることを示す最適状態信号Ｊを結束制御部２５へ出力するようになっている。なお、ヒータ温度検出部２７、ヒータ温度制御部２６、結束制御部２５およびヒータ加熱部２８が、ヒータ１８の温度をロールテープ１０ａのＲＦＩＤインレット３０から読み取った最適温度と等しくなるよう制御する温度制御手段を構成している。
【００２７】
ヒータ駆動制御部２２は、結束制御部２５からの最適押付時間信号Ｅから該最適押付時間を割り出し、該最適押付時間だけヒータ１８が押付位置に位置するよう揺動機構２０に駆動信号Ａを出力するようになっている。ここで、結束制御部２５は、例えばＲＦＩＤリーダ３１から読取信号Ｃが出力された後、ヒータ温度制御部２６から最適状態信号Ｊが出力された時点で、最適押付時間信号Ｅをヒータ駆動制御部２２に出力するようになっている。なお、揺動機構２０、ヒータ駆動制御部２２および結束制御部２５が、ヒータ１８の押付時間がロールテープ１０ａのＲＦＩＤインレット３０から読み取った最適押付時間と等しくなるよう制御する押付時間制御手段を構成している。そして、この押付時間制御手段と上記した温度制御手段とが、ヒータ１８の温度および押付時間を最適条件に合せる制御手段を構成している。
【００２８】
このような構成の紙幣結束装置によれば、テープ供給機構１４にロールテープ１０ａがセットされた状態で、結束制御部２５からの供給制御信号Ｂにより、テープ供給機構１４の供給ローラ１２でテープ本体１１ａを結束部１７方向へ繰り出すと、ＲＦＩＤリーダ３１が、ロールテープ１０ａのＲＦＩＤインレット３０に向けて電波や電磁波を出力し、これによりＲＦＩＤインレット３０から発信されるデータを受信して、ヒータ１８の温度の最適条件データおよびヒータ１８によるテープ本体１１ａへの押付時間の最適条件データ等を読み取り、読み取ったデータを読取信号Ｃとして結束制御部２５に出力する。この結束制御部２５は、入力された読取信号Ｃから割り出される、ヒータ１８の温度の最適条件データを、最適温度信号Ｄとして後述するヒータ温度制御部２６へ出力する。
【００２９】
すると、ヒータ温度制御部２６では、結束制御部２５からの最適温度信号Ｄとヒータ温度検出部２７からの検出温度信号Ｇとから最適温度と検出温度とを比較し、これらの差が許容範囲内に入る方向にヒータ１８を制御すべく温度制御信号Ｈをヒータ加熱部２８に出力し、これにより、ヒータ加熱部２８は、ヒータ１８に加熱制御信号Ｉを出力して、その温度と最適温度との差が許容範囲に入るように制御する。
【００３０】
そして、ヒータ温度制御部２６は、最適温度と検出温度との差が許容範囲内に入っている場合および入った場合に、ヒータ１８の温度が最適温度であることを示す最適状態信号Ｊを結束制御部２５へ出力する。すると、結束制御部２５は、ヒータ駆動制御部２２に、最適押付時間信号Ｅを出力する。ここで、それまでの間に、結束部１７では所定のタイミングで集積紙幣１５にテープ本体１１ａが所定状態となるよう巻き付けられており、ヒータ駆動制御部２２は、この最適押付時間信号Ｅから割り出される最適押付時間だけヒータ１８が押付位置に位置するよう揺動機構２０に駆動信号Ａを出力し、よって、ヒータ１８が、ロールテープ１０ａのＲＦＩＤインレット３０に記憶された最適温度で最適押付時間だけ、テープ本体１１ａを加熱押圧することになる。なお、この押圧によりカッター２１がテープ本体１１ａを所定位置で切断することになり、これにより、テープ本体１１ａで結束された紙幣束が得られることになる。
【００３１】
このように本実施例の紙幣結束装置によれば、自動的に、熱接着タイプのテープ本体１１ａに最適な温度で最適な時間だけ、熱接着が行われることになるため、メーカの相違等の理由でテープ本体１１ａの熱接着の条件が異なる場合にも、作業者が設定を行うことに起因する設定不良を生じることがなく、テープ本体１１ａに応じて確実にヒータ１８の温度および押付時間を最適条件とすることができる。
【００３２】
加えて、使用途中のロールテープ１０ａを使用したとしても、芯部９に設けられているＲＦＩＤインレット３０からテープ本体１１ａの最適な接着条件データをＲＦＩＤリーダ３１が非接触で読み取ってヒータ１８の温度制御や揺動機構２０の制御を行うことができるため、テープ本体１１ａの残量にかかわらず、常に確実なテープ本体１１ａの接着を行うことが可能となる。ここで、とりわけテープ本体１１ａの繰り出し最後端部にＲＦＩＤインレット３０を設ける構成とした場合、芯なしタイプのロールテープに適用できるなど適用範囲が広くなる。
【００３３】
さらに、ロールテープ１０ａの取り付け支持のためだけに設けていたテープ取付支持部３２を有効利用し、支持部本体３４にＲＦＩＤリーダを設けることで、ＲＦＩＤリーダ３１とＲＦＩＤインレット３０との通信距離を短縮することができるため、省スペース化を実現して装置の小型化に寄与しつつ、ＲＦＩＤインレット３０とＲＦＩＤリーダ３１間の通信の信頼性を向上させることができる。
【００３４】
なお、上述した実施例では、紙幣を束ねて結束する小束結束機を一例に説明したが、これに限られるものではなく、例えば、小束結束機によって結束された小束紙幣を集積状態にして結束するいわゆる大束紙幣結束機に用いても良い。
また、本実施例においては、ヒータ１８の温度とヒータ１８による押付時間とをロールテープ１０ａのＲＦＩＤインレット３０に記憶させ、これら双方を変更制御するものを例にとり説明したが、勿論、いずれか一方を所定の一定値として他方のみを変更制御しても良好な効果を発揮する。
【図面の簡単な説明】
【００３５】
【図１】本発明の一実施例による紙幣結束装置を概略的に示す構成図である。
【図２】本発明の一実施例によるロールテープとテープ取付支持部との斜視図である。
【符号の説明】
【００３６】
９  芯部
１０ａ，１０ｂ  ロールテープ（結束テープ）
１１ａ，１１ｂ  テープ本体
１４  テープ供給機構（テープ供給手段）
１８  ヒータ
１７  結束部
２０  揺動機構、
２２  ヒータ駆動制御部
２５  結束制御部
２６  ヒータ温度制御部
２７  ヒータ温度検出部
２８  ヒータ加熱部
３０  ＲＦＩＤインレット（無線ＩＣチップ）
３１  ＲＦＩＤリーダ（リーダ）
３２  テープ取付支持部（取り付け支持部）
【図１】
2007253979.tif 000003
【図２】
2007253979.tif 000004